(57)【特許請求の範囲】
【請求項１】
供試体が載置され、回転する供試体テーブルと、
電波暗室の床面の下に配置され、前記供試体テーブルを回転する駆動手段と
を備え、
前記供試体テーブルは、電波暗室の床面の上方に配置されると共に供試体が載置される載置部と、前記載置部の下面より下方に突出し、前記駆動手段に対して着脱自在に連結される軸部とを有し、
更に、電波暗室の床面に形成され、前記供試体テーブルの前記軸部が挿通される開口部と、前記開口部を開閉可能なカバーとを備え、
前記開口部の内径は、前記載置部の外径よりも小さく、
前記供試体テーブルを使用しない場合には、前記軸部を、前記駆動手段より外し、前記開口部から抜くことが可能であることを特徴とする電波暗室用ターンテーブル装置。
【発明の詳細な説明】
【０００１】
【発明の属する技術分野】
本発明は、電波暗室において、供試体が載置され、回転する電波暗室用ターンテーブル装置に関する。
【０００２】
【従来の技術】
従来より、他の機器に電磁波障害を与える雑音を発生する機器の放射雑音強度を測定したり、電子機器に強電磁界の電磁波を照射して誤動作を試験する場合等に、電波暗室が用いられている。この電波暗室は、室内全体を電磁波遮蔽材によって覆って、室内を電磁波に対して遮蔽する（以下、電磁波遮蔽するという。）と共に、室内の壁面や天井面に電波吸収体を設けて、壁面や天井面による電波の反射を防止するようになっている。
【０００３】
また、従来より、電波暗室において、測定支援設備として、供試体（試験対象物）が載置され、回転するターンテーブルと、アンテナが取り付けられるアンテナマストとが用いられている。
【０００４】
ここで、図４を参照して、従来のターンテーブルの構成の一例について説明する。この例では、電波暗室の床面２０１の一部を形成するように、ターンテーブル２１０が設けられている。ターンテーブル２１０の下には、ターンテーブルピット２０２が形成されている。このターンテーブルピット２０２内には、ターンテーブル２１０を回転させるための駆動装置２１１が設けられている。
【０００５】
ターンテーブル２１０の外周部分と、その周囲の床部分２０３との間は、例えばアースローラ等の電気的接続部材２０４によって電気的に接続されている。
【０００６】
ターンテーブル２１０の上には、例えばテーブル２１２を介して供試体２１３が載置されるようになっている。
【０００７】
【発明が解決しようとする課題】
床面を電波反射面である金属面とした電波暗室では、床面につなぎ目等の不連続部分があると、その不連続部分によって電波が散乱される等のことにより電波暗室の性能が劣化する。従って、床面にはつなぎ目等の不連続部分のないことが望まれる。
【０００８】
ところが、図４に示したように、床面２０１の一部を形成するようにターンテーブル２１０を設けた場合には、ターンテーブル２１０の外周部分と、その周囲の床部分２０３との間に隙間が生じてしまう。そのため、従来は、アースローラ等の電気的接続部材２０４によって、ターンテーブル２１０の外周部分と床部分２０３との間を電気的に接続することによって、両者を同電位面とし、均一な反射面を得るようにしていた。
【０００９】
このように、ターンテーブル２１０の外周部分と床部分２０３との間の隙間や、アースローラ等の電気的接続部材２０４によるターンテーブル２１０の外周部分と床部分２０３との電気的接続等は、電波暗室の特性を左右する重要な要素である。
【００１０】
しかしながら、従来は、床面２０１の一部を形成するように、相当の大きさと重量とを有するターンテーブル２１０を設けていたため、以下のような数多くの問題点があった。
【００１１】
すなわち、まず、ターンテーブル２１０の初期設置の状態の悪さや、設置の状態の経年変化が電波暗室の特性に悪影響を及ぼすという問題点があった。
【００１２】
また、大きく且つ重いターンテーブル２１０を回転するには、大型の駆動装置２１１が必要となり、この駆動装置２１１が発生するノイズが測定に悪影響を及ぼすという問題点があった。
【００１３】
特に供試体２１３が小さい場合には、特に積載荷重の点において、ターンテーブル２１０のスペックが過剰であるという問題点があった。
【００１４】
本発明はかかる問題点に鑑みてなされたもので、その目的は、電波暗室の特性に対する悪影響を低減できるようにした電波暗室用ターンテーブル装置を提供することにある。
【００１５】
【課題を解決するための手段】
本発明の電波暗室用ターンテーブル装置は、供試体が載置され、回転する供試体テーブルと、電波暗室の床面の下に配置され、供試体テーブルを回転する駆動手段とを備え、供試体テーブルは、電波暗室の床面の上方に配置されると共に供試体が載置される載置部と、載置部の下面より下方に突出し、駆動手段に対して着脱自在に連結される軸部とを有するものである。
【００１６】
本発明の電波暗室用ターンテーブル装置では、供試体テーブルは、軸部によって駆動手段に対して着脱自在に連結され、この駆動手段によって駆動されて回転する。
【００１７】
本発明の電波暗室用ターンテーブル装置は、更に、電波暗室の床面に形成され、供試体テーブルの軸部が挿通される開口部と、開口部を開閉可能なカバーとを備えていてもよい。
【００１８】
【発明の実施の形態】
以下、本発明の実施の形態について図面を参照して詳細に説明する。始めに、図３を参照して、本発明の一実施の形態に係る電波暗室用ターンテーブル装置（以下、単にターンテーブル装置と言う。）が適用される電波暗室について説明する。図３は、電波暗室を含む試験設備の構成の一例を示す平面断面図である。この図に示した試験設備は、他の機器に電磁波障害を与える雑音を発生する機器の放射雑音強度を測定したり、電子機器に強電磁界の電磁波を照射して誤動作を試験する場合等に使用されるものである。
【００１９】
図３に示した試験設備は、電波暗室１１０と、この電波暗室１１０に隣接するように配置された計測用の電磁波遮蔽室である計測室１２０とを備えている。電波暗室１１０には、試験対象物を搬入、搬出するための大型のシールド扉１１１と、計測室１２０との間の出入りのための小型のシールド扉１１２とが設けられている。
【００２０】
電波暗室１１０は、床１１３、四方の壁１１４および図示しない天井を有し、これら全てに、電磁波遮蔽材よりなる電磁波遮蔽板が設けられている。壁１１４および天井の室内側の面には、電波吸収体１１５が取り付けられている。床１１３には、供試体を回転するための本実施の形態に係るターンテーブル装置１が設けられている。また、床１１３には、アンテナが設置される箇所であるアンテナポジショナー１１７が設けられている。
【００２１】
電磁波遮蔽材とは、所望の周波数帯域の電磁波に関して、反射係数が大きく（１に近く）、透過係数が小さい（０に近い）材料であり、種々の金属が該当するが、鋼材が用いられることが多い。
【００２２】
電波吸収体とは、所望の周波数帯域の電波に関して、反射係数と透過係数が共に小さく（０に近く）、入射した電波エネルギを吸収して熱エネルギに変換する構造体である。
【００２３】
図３における電波吸収体１１５は、例えば、タイル状のフェライト電波吸収体と、このフェライト電波吸収体の室内側の面に取り付けられた発泡スチロール基体電波吸収体とによって構成されている。フェライト電波吸収体は、高周波におけるフェライトの磁気共鳴損失を利用した電波吸収体である。発泡スチロール基体電波吸収体は、発泡スチロールの基体に抵抗体としてのカーボンを混合して構成されている。
【００２４】
次に、図１を参照して、本実施の形態に係るターンテーブル装置１の構成について説明する。電波暗室１１０の床１１３には、後述する駆動装置を収納するためのピット２が形成されている。ターンテーブル装置１は、供試体３０が載置され、回転する供試体テーブル１０と、電波暗室１１０の床面の下であるピット２内に配置され、供試体テーブル１０を回転する駆動手段としての駆動装置２０とを備えている。また、ピット２内には、疑似電源装置２１等を収納するためのユーティリティスペースが設けられている。なお、疑似電源装置２１は、疑似電源回路網（電源線インピーダンス安定化回路網とも呼ばれる。）を構成する装置であり、妨害波測定等に用いられることもある。
【００２５】
供試体テーブル１０は、電波暗室１１０の床面の上方に配置されると共に供試体３０が載置される載置部１１と、この載置部１１の下面より下方に突出する軸部１２とを有している。軸部１２は、床面を貫通して駆動装置２０に対して着脱自在に連結されるようになっている。また、軸部１２のうちの少なくとも床上に露出する部分は、測定に影響を与えない材料、例えば木材によって形成されている。
【００２６】
ピット２の開口部は、金属板３によって閉塞されている。この金属板３には、供試体テーブル１０の軸部１２が挿通される開口部４と、ユーティリティスペースの上方の位置に配置された開口部とが形成されている。
【００２７】
また、金属板３には、開口部４を開閉可能な金属製のカバー５と、ユーティリティスペースの上方の位置に配置された開口部を開閉可能な金属製のカバー６とが取り付けられている。図２は、金属板３およびカバー５，６を示す平面図である。
【００２８】
また、供試体３０に電力を供給するための電力供給路１５は、スリップリングや水銀ロータリー等を用いて、軸部１２の中心部に設けられている。
【００２９】
次に、本実施の形態に係るターンテーブル装置１の作用について説明する。供試体テーブル１０を使用する場合には、図１に示したように、開口部４を開放し、供試体テーブル１０の軸部１２を駆動装置２０に連結する。供試体テーブル１０の載置部１１の上には供試体３０が載置される。この状態で駆動装置２０を動作させることにより、供試体テーブル１０が回転し、供試体３０も回転する。
【００３０】
供試体テーブル１０を使用しない場合には、軸部１２を駆動装置２０より外し、図２に示したように、カバー５によって開口部４を閉じる。
【００３１】
また、通常時は、ユーティリティスペースの上方の位置に配置された開口部は、カバー６によって閉じられているが、駆動装置２０や疑似電源装置２１等のメンテナンスを行う際には開けられる。
【００３２】
本実施の形態によれば、供試体３０の重量にある程度の制限はあるが、特に軽量、小型の供試体３０に適したターンテーブル装置１を実現することができる。
【００３３】
また、本実施の形態によれば、電波暗室１１０の床面には、従来のような大きなターンテーブルが存在せず、そのため、床面とターンテーブルとの間の隙間も存在しない。床面には、供試体テーブル１０の軸部１２が通るだけの小さな開口部４があればよいので、電波暗室１１０の特性に対する悪影響を低減でき、電波暗室１１０の特性を向上させることができる。
【００３４】
また、本実施の形態によれば、床面とターンテーブルとを電気的に接続するアースローラ等の電気的接続部材が不要になる。
【００３５】
また、本実施の形態によれば、供試体テーブル１０を使用しないときには、カバー５によって開口部４を閉じて、溝のない平坦な床面すなわち電波反射面を形成でき、これにより電波暗室１１０の特性を向上させることができる。
【００３６】
また、本実施の形態によれば、供試体テーブル１０の軸部１２と床面との間の隙間が小さいので、供試体テーブル１０の初期設置の状態の悪さや、設置の状態の経年変化による悪影響が少ない。
【００３７】
また、本実施の形態によれば、供試体テーブル１０は床面の一部を形成しないので、供試体テーブル１０を軽量化することができる。その結果、小型の駆動装置２０を使用することが可能になる。本実施の形態によれば、これに加え、供試体テーブル１０の軸部１２と床面との間の隙間が小さいことから、駆動装置２０が発生するノイズの影響を低減することができる。
【００３８】
また、本実施の形態によれば、供試体テーブル１０の駆動機構が簡単なので、駆動機構のメンテナンスが容易になる。
【００３９】
なお、本発明は上記実施の形態に限定されず、種々の変更が可能である。例えば、供試体テーブル１０の軸部１２のうちの床下に配置される部分を金属によって形成し、開口部４の周囲における金属板３と軸部１２の金属部分とを、電気的接続部材によって電気的に接続するようにしてもよい。
【００４０】
【発明の効果】
以上説明したように、本発明の電波暗室用ターンテーブル装置によれば、床面には、供試体テーブルの軸部が通るだけの小さな開口部があればよいので、電波暗室の特性に対する悪影響を低減することができるという効果を奏する。
【００４１】
また、本発明の電波暗室用ターンテーブル装置によれば、電波暗室の床面に形成され、供試体テーブルの軸部が挿通される開口部と、開口部を開閉可能なカバーとを備えたので、供試体テーブルを使用しないときには、開口部を閉じて、溝のない平坦な床面を形成でき、これにより電波暗室の特性を向上させることができるという効果を奏する。
【図面の簡単な説明】
【図１】本発明の一実施の形態に係るターンテーブル装置の構成を示す断面図である。
【図２】図１における金属板およびカバーを示す平面図である。
【図３】本発明の一実施の形態に係るターンテーブル装置が適用される電波暗室を含む試験設備の構成の一例を示す平面断面図である。
【図４】従来のターンテーブルの構成の一例を示す断面図である。
【符号の説明】
１…ターンテーブル装置、２…ピット、３…金属板、４…開口部、５，６…カバー、１０…供試体テーブル、１１…載置部、１２…軸部、２０…駆動装置、２１…疑似電源装置、３０…供試体。
【図１】
0004517429.tif 000002
【図２】
0004517429.tif 000003
【図３】
0004517429.tif 000004
【図４】
0004517429.tif 000005